(57)【特許請求の範囲】
【請求項１】
液晶パネルと、
電子部品が実装されたプリント基板と、
該プリント基板の表面側に当該プリント基板と間隔をあけて上記液晶パネルを取り付けるパネル状取付手段と、
上記液晶パネルの互いに対向する外周縁近傍のプリント基板上に離間して取り付けられた一対の光源と、
上記プリント基板、上記液晶パネル及び上記取付手段の間に形成された照明空間とを備え、
上記取付手段には、上記両光源の液晶パネル側にそれぞれ位置し、上記両光源を液晶パネル側から個々に覆って上記各光源から発せられる光のうち液晶パネルに略直交する方向に向かう第１の光を遮る一対の遮蔽部と、
上記両光源の中間に位置し、且つ、当該各光源側に向く一対の傾斜面部からなり、当該両傾斜面部を境に上記照明空間を一方側と他方側とに分けるとともに、上記両光源から発せられる光のうち液晶パネルに略沿う方向に向かう第２の光を上記液晶パネルに向かって反射拡散させる反射部とが設けられ、
上記一方の遮蔽部は、上記一方の光源から発せられる光のうち上記第１及び第２の光を除く第３の光を上記液晶パネルにおける上記照明空間の一方側に対応する部分に透過させないように、且つ、上記液晶パネルと上記反射部との間を通って上記液晶パネルにおける上記照明空間の他方側に対応する部分に透過させるよう位置する一方、上記他方の遮蔽部は、上記他方の光源から発せられる光のうち上記第１及び第２の光を除く第３の光を上記液晶パネルにおける上記照明空間の他方側に対応する部分に透過させないように、且つ、上記液晶パネルと上記反射部との間を通って上記液晶パネルにおける上記照明空間の一方側に対応する部分に透過させるよう位置していることを特徴とする車両用計器。
【請求項２】
請求項１に記載の車両用計器において、
上記取付手段は、上記両光源の並設方向と交差する方向に離間して設けられ、且つ、上記遮蔽部及び上記反射部と一緒になって略矩形枠状をなし、上記両光源から発せられる光を上記液晶パネルに向かって反射拡散させる内壁部を備えていることを特徴とする車両用計器。
【請求項３】
請求項２に記載の車両用計器において、
上記内壁部の上記各遮蔽部側には、当該遮蔽部に対向する対向面部が設けられ、該対向面部は、上記各光源から発せられる第２の光を上記液晶パネルに向かって反射拡散させるようになっていることを特徴とする車両用計器。
【請求項４】
請求項１から３のいずれか１つに記載の車両用計器において、
上記両遮蔽部は、上記プリント基板側に行くにしたがって互いに接近しながら上記液晶パネルに対して傾斜し、その延出端が上記プリント基板の表面から所定の間隔をあけた位置となっていることを特徴とする車両用計器。
【発明の詳細な説明】
【技術分野】
【０００１】
本発明は、走行距離や燃料残量等の車両の各種状態が表示される液晶パネルを備えた車両用計器に関する。
【背景技術】
【０００２】
従来より、車両の運転席前方に設けられた車両用計器には、走行距離や燃料残量等の車両の各種状態を表示する液晶パネルが設けられている。該液晶パネルは、自発光式ではなく、背面側に配置された光源を透過させる、又は、太陽光の光を透過・反射させることによって文字等を表示させるようになっている。
【０００３】
ところで、上記液晶パネルの背面側に配置された光源から発せられる光を上記液晶パネルの透過部分に直接透過させると、液晶パネルの光源に近い領域が他の領域より明るくなり過ぎて照明ムラが発生してしまう。
【０００４】
これを回避するために、例えば、特許文献１の車両用計器は、液晶パネルの外周縁近傍に配置された光源から発せられて直接液晶パネルに向かう光を遮る遮蔽板と、光源から液晶パネルに沿って発せられる光を液晶パネルに向かうように反射拡散させる反射板とを備え、光源から発せられる光を液晶パネルに間接的に向かうようにして照明ムラをなくすようにしている。
【先行技術文献】
【特許文献】
【０００５】
【特許文献１】特許第４５１４５６９号公報（段落００２７〜００３３欄、図２）
【発明の概要】
【発明が解決しようとする課題】
【０００６】
しかし、特許文献１の如き構造であっても、液晶パネルの面積が広い場合、光源から遠く離れた領域は光が届き難いので、光源に近い領域より暗くなってしまい、照明ムラが発生してしまう。これを回避するためには、遮蔽板の形状を変更し、反射板において液晶パネルの光源から近い領域に向かって反射拡散させる光の量を減らし、液晶パネル全体の照明ムラを無くすようにする工夫が必要であるが、そうすると、液晶パネルの照明が全体的に暗くなってしまう。
【０００７】
本発明は、斯かる点に鑑みてなされたものであり、その目的とするところは、液晶パネルの面積が広い場合においても、液晶パネル全体をバランス良く、且つ、明るく照明できる車両用計器を提供することにある。
【課題を解決するための手段】
【０００８】
上記の目的を達成するために、本発明は、光源を２つ用いて、当該２つの光源からそれぞれ発せられる光の液晶パネルへの透過のさせ方に工夫を凝らしたことを特徴とする。
【０００９】
すなわち、第１の発明では、液晶パネルと、電子部品が実装されたプリント基板と、該プリント基板の表面側に当該プリント基板と間隔をあけて上記液晶パネルを取り付けるパネル状取付手段と、上記液晶パネルの互いに対向する外周縁近傍のプリント基板上に離間して取り付けられた一対の光源と、上記プリント基板、上記液晶パネル及び上記取付手段の間に形成された照明空間とを備え、上記取付手段には、上記両光源の液晶パネル側にそれぞれ位置し、上記両光源を液晶パネル側から個々に覆って上記各光源から発せられる光のうち液晶パネルに略直交する方向に向かう第１の光を遮る一対の遮蔽部と、上記両光源の中間に位置し、且つ、当該各光源側に向く一対の傾斜面部からなり、当該両傾斜面部を境に上記照明空間を一方側と他方側とに分けるとともに、上記両光源から発せられる光のうち液晶パネルに略沿う方向に向かう第２の光を上記液晶パネルに向かって反射拡散させる反射部とが設けられ、上記一方の遮蔽部は、上記一方の光源から発せられる光のうち上記第１及び第２の光を除く第３の光を上記液晶パネルにおける上記照明空間の一方側に対応する部分に透過させないように、且つ、上記液晶パネルと上記反射部との間を通って上記液晶パネルにおける上記照明空間の他方側に対応する部分に透過させるよう位置する一方、上記他方の遮蔽部は、上記他方の光源から発せられる光のうち上記第１及び第２の光を除く第３の光を上記液晶パネルにおける上記照明空間の他方側に対応する部分に透過させないように、且つ、上記液晶パネルと上記反射部との間を通って上記液晶パネルにおける上記照明空間の一方側に対応する部分に透過させるよう位置していることを特徴とする。
【００１０】
第２の発明では、第１の発明において、上記取付手段は、上記両光源の並設方向と交差する方向に離間して設けられ、且つ、上記遮蔽部及び上記反射部と一緒になって略矩形枠状をなし、上記両光源から発せられる光を上記液晶パネルに向かって反射拡散させる内壁部を備えていることを特徴とする。
【００１１】
第３の発明では、第２の発明において、上記内壁部の上記各遮蔽部側には、当該遮蔽部に対向する対向面部が設けられ、該対向面部は、上記各光源から発せられる第２の光を上記液晶パネルに向かって反射拡散させるようになっていることを特徴とする。
【００１２】
第４の発明では、第１から第３のいずれか１つの発明において、上記両遮蔽部は、上記プリント基板側に行くにしたがって互いに接近しながら上記液晶パネルに対して傾斜し、その延出端が上記プリント基板の表面から所定の間隔をあけた位置となっていることを特徴とする。
【発明の効果】
【００１３】
第１の発明では、液晶パネルの一方の光源側は、一方の光源から発せられて反射部で反射拡散されて届く光に加えて、他方の光源から発せられて反射部を越えて直接届く光が透過する一方、液晶パネルの他方の光源側は、他方の光源から発せられて反射部で反射拡散されて届く光に加えて、一方の光源から発せられて反射部を越えて直接届く光が透過するようになる。したがって、液晶パネルの面積が広い場合においても、照明ムラをなくしながら液晶パネル全体をバランス良く、且つ、明るく照明することができる。
【図面の簡単な説明】
【００１４】
【図１】本発明の実施形態に係る車両用計器の正面図である。
【図２】実施形態に係る車両用計器の分解斜視図である。
【図３】実施形態に係る取付部材の斜視図である。
【図４】図１のＡ−Ａ線断面図である。
【図５】図４のＢ−Ｂ線断面図である。
【発明を実施するための形態】
【００１５】
以下、本発明の実施形態を図面に基づいて詳細に説明する。尚、以下の好ましい実施形態の説明は、本質的に例示に過ぎない。
【００１６】
図１は、本発明の実施形態に係る車両用計器１を示す。該車両用計器１は、運転者が車両の各種状態を把握できるように運転席前方に位置するインストルメントパネル（図示せず）内に収められていて、中央には車両の速度を表示するデジタル表示の速度表示１ａが位置し、該速度表示１ａの車幅方向右側には、車両の走行距離を表示する積算表示１ｂ、オートマティックセレクタの状態を示すオートマティックセレクタ表示１ｃ、及び燃料の残量を表示する燃料残量表示１ｄの３つが互いに接近配置されている。
【００１７】
上記車両用計器１は、図２に示すように、車幅方向に延びる略矩形パネル状の樹脂製計器本体１０を備え、該計器本体１０の中央には、上記速度表示１ａに対応する複数の小孔１０ａが形成され、該計器本体１０の両側には、略矩形状の貫通窓１０ｂが一対形成されている。
【００１８】
上記計器本体１０の表面側には、目盛や文字を表示するための樹脂製文字盤１１が上記計器本体１０の表面側全域を覆うように配設されている。
【００１９】
また、上記文字盤１１の表面側には、上記計器本体１０の外周縁に沿う環状をなす樹脂製バイザー１２と、上記計器本体１０全域を覆う透明樹脂製の保護ガラス１３とが設けられ、該保護ガラス１３は、上記バイザー１２の内方に組み付けられ、当該バイザー１２は、上記計器本体１０に組み付けられるようになっている。
【００２０】
一方、上記計器本体１０の裏面側には、電子部品等が実装された略矩形板状のプリント基板１４が配設され、該プリント基板１４は、その裏面側に配設されるリアケース１５と上記計器本体１０との間で挟まれて固定されるようになっている。
【００２１】
上記プリント基板１４の車幅方向右寄りの表面側には、上記積算表示１ｂ、オートマティックセレクタ表示１ｃ及び燃料残量表示１ｄをそれぞれ表示する略矩形板状の液晶パネル２と、上記プリント基板１４と間隔をあけて上記液晶パネル２を上記プリント基板１４に取り付けるパネル状の取付部材（取付手段）３とが設けられ、上記プリント基板１４、上記液晶パネル２及び上記取付部材３の間に照明空間Ｓ（図４及び図５参照）が形成されるようになっている。
【００２２】
また、上記液晶パネル２における車幅方向両側で、且つ、互いに対向する外周縁近傍のプリント基板１４上には、図４に示すように、一対のＬＥＤ（光源）７が離間して取り付けられている。
【００２３】
上記液晶パネル２は、光が透過することにより文字等が表示されるようになっていて、上記貫通窓１０ｂから車両内部に臨むようになっている。
【００２４】
上記液晶パネル２の上端縁及び下端縁には、図２及び図５に示すように、それぞれ上記プリント基板１４に向かって延びる針状の端子２ａが車幅方向に複数設けられ、該複数の端子２ａは、上記プリント基板１４の端子台１４ｃ（図５に記載）に接続されるようになっている。
【００２５】
また、上記液晶パネル２の裏面には、透過する光を拡散させて照明ムラを抑える樹脂製の拡散板２ｂ（図２参照）が配設されている。
【００２６】
上記取付部材３は、図３に示すように、平面視で略左右対称の形状をなし、略矩形環状をなす枠部３１と、該枠部３１の外周縁からプリント基板１４側に延出する外壁部３２とを備えている。
【００２７】
上記枠部３１の上辺部及び下辺部は、車幅方向両側辺部よりもプリント基板１４側に接近していて、当該部分の両側、すなわち上記枠部３１の四隅近傍には、当該枠部３１の外側方に撓む係止片３１ａがそれぞれ一体に形成され、該各係止片３１ａが上記液晶パネル２の外周縁に係止することにより、当該液晶パネル２が取付部材３に取り付けられるようになっている。
【００２８】
また、上記枠部３１の上辺部及び下辺部には、車幅方向に延びる細長形状の貫通孔３１ｂが形成され、該貫通孔３１ｂに上記液晶パネル２の各端子２ａが挿通されるようになっている。
【００２９】
一方、上記外壁部３２の両側辺部には、係合爪３２ａが上下に所定の間隔をあけて一対設けられ、該係合爪３２ａがプリント基板１４の図示しない係合孔に係合することにより、上記プリント基板１４に上記取付部材３が取り付けられるようになっている。
【００３０】
また、上記取付部材３は、上記枠部３１の両側辺部内周縁から上記プリント基板１４側に延出する左右一対の第１内壁部（遮蔽部）３３と、上記枠部３１の上辺部及び下辺部内周縁から上記プリント基板１４側に延出する上下に離れた（両ＬＥＤ７の並設方向と交差する方向に離間して設けられた）一対の第２内壁部３４とを備えている。
【００３１】
上記一対の第１内壁部３３は、図４にも示すように、上記プリント基板１４側に行くにしたがって互いに接近しながら緩やかに上記液晶パネル２に対して傾斜し、その延出端は、上記プリント基板１４の表面から所定の間隔をあけた位置となっていて、上記第１内壁部３３の延出端と上記プリント基板１４の表面との間には、光通過口３３ａが形成されている。
【００３２】
そして、上記一対の第１内壁部３３は、上記両ＬＥＤ７の液晶パネル２側にそれぞれ位置し、上記両ＬＥＤ７を液晶パネル２側から個々に覆って上記各ＬＥＤ７から発せられる光のうち液晶パネル２に略直交する方向に向かう第１の光Ｌ１を遮るようになっている（図４参照）。
【００３３】
一方、上記一対の第２内壁部３４は、図５にも示すように、上記プリント基板１４側に行くにしたがって互いに接近しながら上記液晶パネル２に対して緩やかに傾斜し、その延出端は、プリント基板１４の表面にまで達していて、両ＬＥＤ７から発せられる光を液晶パネル２に向かって反射拡散させるようになっている。
【００３４】
上記第２内壁部３４の車幅方向両側（第１内壁部３３側）には、図３に示すように、延出端側の略半分が凹状に窪み、上記第１内壁部３３の延出端縁に対向する対向面部３４ａと上記第１内壁部３３の延出端縁と交差する交差面部３４ｂとが設けられている。
【００３５】
上記対向面部３４ａは、上記プリント基板１４側に行くにしたがって第１内壁部３３に接近しながら傾斜する一方、上記交差面部３４ｂは、上記プリント基板１４に対して略垂直となっている。
【００３６】
そして、車幅方向左側の対向面部３４ａは、図３に示すように、車幅方向左側に位置するＬＥＤ７（以下、左側ＬＥＤ７と呼ぶ）から発せられる光のうち、上記液晶パネル２に略沿うように車幅方向右側に向かって発せられて車幅方向左側の光通過口３３ａ（以下、左側光通過口３３ａと呼ぶ）を通過する第２の光Ｌ２を上記液晶パネル２の車幅方向左側部分に向かって反射拡散させる一方、車幅方向右側の対向面部３４ａは、車幅方向右側に位置するＬＥＤ７（以下、右側ＬＥＤ７と呼ぶ）から発せられる光のうち、上記液晶パネル２に略沿うように車幅方向左側に向かって発せられて車幅方向右側の光通過口３３ａ（以下、右側光通過口３３ａと呼ぶ）を通過する第２の光Ｌ４を上記液晶パネル２の車幅方向右側部分に向かって反射拡散させるようになっている。
【００３７】
上記取付部材３の略中央、即ち、上記両ＬＥＤ７の中間には、上記一対の第２内壁部３４の延出端側を互いに橋絡する橋絡部（反射部）３５が一体に形成され、該橋絡部３５は上記液晶パネル２の略中央下方に位置している。
【００３８】
該橋絡部３５は、図４に示すように、上記液晶パネル２側が先細の断面略Ｖ字状をなし、上記第１及び第２内壁部３３，３４と一緒になって略矩形枠状をなしていて、上記照明空間Ｓを車幅方向左側と車幅方向右側とに分けている。
【００３９】
上記橋絡部３５は、車幅方向左側及び右側にそれぞれ向く一対の傾斜面部３５ａを有し、その先端は、上記第１内壁部３３の延出端よりも若干液晶パネル２側で、且つ、当該液晶パネル２裏面から所定の間隔Ｄをあけた位置となっている。
【００４０】
上記橋絡部３５における車幅方向左側の傾斜面部３５ａは、左側ＬＥＤ７から発せられる光のうち、上記液晶パネル２に略沿うように車幅方向右側に向かって発せられて左側光通過口３３ａを通過する第２の光Ｌ２を上記液晶パネル２の車幅方向左側部分に向かって反射拡散させるようになっている。
【００４１】
そして、車幅方向左側の第１内壁部３３は、上記左側ＬＥＤ７から発せられる光のうち、上記第１の光Ｌ１及び第２の光Ｌ２を除く第３の光Ｌ３を上記液晶パネル２における上記照明空間Ｓの車幅方向左側（一方のＬＥＤ７側）に対応する部分に透過させないように、且つ、上記液晶パネル２と上記橋絡部３５との間から上記照明空間Ｓの車幅方向右側を経て上記液晶パネル２における上記照明空間Ｓの車幅方向右側に対応する部分に透過させるよう位置している。
【００４２】
一方、上記橋絡部３５における車幅方向右側の傾斜面部３５ａは、右側ＬＥＤ７から発せられる光のうち、上記液晶パネル２に略沿うように車幅方向左側に向かって発せられて右側光通過口３３ａを通過する第２の光Ｌ４を上記液晶パネル２の車幅方向右側部分に向かって反射拡散させるようになっている。
【００４３】
そして、車幅方向右側の第１内壁部３３は、上記右側ＬＥＤ７から発せられる光のうち、上記第１の光Ｌ１及び第２の光Ｌ４を除く第３の光Ｌ５を上記液晶パネル２における上記照明空間Ｓの車幅方向右側（他方のＬＥＤ７側）に対応する部分に透過させないように、且つ、上記液晶パネル２と上記橋絡部３５との間から上記照明空間Ｓの車幅方向左側を経て上記液晶パネル２における上記照明空間Ｓの車幅方向左側に対応する部分に透過させるよう位置している。
【００４４】
以上より、本発明の実施形態によれば、液晶パネル２の左側ＬＥＤ７側は、左側ＬＥＤ７から発せられて橋絡部３５で反射拡散されて届く第２の光Ｌ２に加えて、右側ＬＥＤ７から発せられて橋絡部３５を越えて直接届く光Ｌ５が透過する一方、液晶パネル２の右側ＬＥＤ７側は、右側ＬＥＤ７から発せられて橋絡部３５反射拡散されて届く第２の光Ｌ４に加えて、左側ＬＥＤ７から発せられて橋絡部３５を越えて直接届く第３の光Ｌ３が透過するようになる。したがって、液晶パネル２の面積が広い場合においても、照明ムラをなくしながら液晶パネル２全体をバランス良く、且つ、明るく照明することができる。
【００４５】
また、光源にＬＥＤ７を用いているので、光源が小さくなり、液晶パネル２周辺をコンパクトな構造にできる。
【００４６】
尚、本発明の実施形態では、光源にＬＥＤを用いているが、これに限らず、他の種類の光源を用いてもよい。
【００４７】
また、本発明の実施形態では、計器本体１０と取付部材３とが別体であるが、一体に形成してもよい。
【００４８】
さらに、本実施形態では、自動車に用いられる車両用計器１についての適用について説明したが、例えば、自動二輪車に適用してもよいし、他の車両に適用することも可能である。
【産業上の利用可能性】
【００４９】
本発明は、走行距離や燃料残量等の車両の各種状態が表示される液晶パネルを備えた車両用計器に適している。
【符号の説明】
【００５０】
１        車両用計器
２        液晶パネル
３        取付部材（取付手段）
７        ＬＥＤ（光源）
１４        プリント基板
３３        第１内壁部（遮蔽部）
３４ 第２内壁部
３４ａ 対向面部
３５        橋絡部（反射部）
Ｓ        照明空間
Ｌ１        第１の光
Ｌ２，Ｌ４        第２の光
Ｌ３，Ｌ５        第３の光
【図１】
0005775763.tif 000002
【図２】
0005775763.tif 000003
【図３】
0005775763.tif 000004
【図４】
0005775763.tif 000005
【図５】
0005775763.tif 000006